(57)【要約】【課題】作業性に優れ、安定して起立する現場撮影用記号札を得る。【解決手段】本考案に係る現場撮影用記号札１は、表面側に記号又は数字が記載され、折り曲げ自在に連結された２枚の板体１ａ、１ｂと、該連結された２枚の板体１ａ、１ｂの裏面側を該連結された２枚の板体が所定の開度で開閉可能なように連結する連結部材３と、２枚の板体１ａ、１ｂを常時開方向に付勢する付勢手段５を備えたものである。【選択図】図１
0003121351.tif 000002
【実用新案登録請求の範囲】
【請求項１】
表面側に記号又は数字が記載され、折り曲げ自在に連結された２枚の板体と、該連結された２枚の板体の裏面側を該連結された２枚の板体が所定の開度で開閉可能なように連結する連結部材と、前記２枚の板体を常時開方向に付勢する付勢手段を備えたことを特徴とする現場撮影用記号札。
【請求項２】
付勢手段はねじりバネからなり、該ねじりバネは２枚の板体を閉じたときにコイル部が板体に沿うように取り付けられていることを特徴とする請求項１に記載の現場撮影用記号札。
【考案の詳細な説明】
【技術分野】
【０００１】
本考案は、犯罪現場や事故現場などの現場撮影に際して痕跡や遺留物の近辺に配置して写真に写し込み、その番号や記号で痕跡や遺留物を特定できるようにする現場撮影用記号札に関する。
【背景技術】
【０００２】
犯罪現場の痕跡や遺留物等を報告書などでわかりやすく説明するために、犯罪現場の撮影に際して記号札を痕跡や遺留物の近辺に配置して写真に写し込み、その番号や記号で痕跡や、遺留物を特定できるようにすることが行われている。
このような犯罪現場撮影用記号札の一例として、たとえばビニール加工した２枚の長方形の板を上部先端の辺で接合させ、合掌組にしたものの裏面において、ビニール加工した帯で係着したものがある（特許文献等１参照）。
【特許文献１】実開昭６２−２５９７５号公報
【考案の開示】
【考案が解決しようとする課題】
【０００３】
上記のような従来の犯罪現場撮影用記号札の場合には、犯罪現場撮影用記号札を使用する際、犯罪現場で1個1個を手で開いて設置していく必要がある。しかし、犯罪現場では証拠保全のため軍手や手袋をはめて作業することが多く、多くの犯罪現場撮影用記号札を１個１個を開いていくのに非常に手間がかかる。
また、２枚の板が開いた状態に保持されていないので、風が吹いたりすると２枚の板が閉じて記号札が倒れたりして不安定であるという問題もある。
【０００４】
本考案の解決しようとする課題は、作業性に優れ、安定して起立する現場撮影用記号札を得ることにある。
【課題を解決するための手段】
【０００５】
（１）本考案に係る現場撮影用記号札は、表面側に記号又は数字が記載され、折り曲げ自在に連結された２枚の板体と、該連結された２枚の板体の裏面側を該連結された２枚の板体が所定の開度で開閉可能なように連結する連結部材と、前記２枚の板体を常時開方向に付勢する付勢手段を備えたことを特徴とするものである。
【０００６】
（２）また、上記（１）に記載のものにおいて、付勢手段をねじりバネから構成し、ねじりバネが２枚の板体を閉じたときにコイル部が板体に沿うように取り付けられていることを特徴とするものである。
【考案の効果】
【０００７】
本考案の現場撮影用記号札は、連結された２枚の板体を付勢手段の付勢力に抵抗して閉じた状態で保持しておき、現場ではその保持を外すようにすれば、自動的に所定の角度に開く。したがって、１個１個を手で開く必要がないので、作業性に優れる。また、付勢手段によって開いた状態が保持されるので、安定して設置できる。
【考案を実施するための最良の形態】
【０００８】
本実施の形態においては現場撮影用記号札の一例として犯罪現場の撮影に用いる犯罪現場撮影用記号札を例に挙げて説明する。
図１は本考案の一実施の形態に係る犯罪現場撮影用記号札の使用状態における斜視図、図２は犯罪現場撮影用記号札を裏面側から見た斜視図、図３は犯罪現場撮影用記号札の保管時の状態を示す斜視図である。
以下、図１〜図３に基づいて本実施の形態に係る犯罪現場撮影用記号札を説明する。
【０００９】
本実施の形態に係る犯罪現場撮影用記号札１は、表面側に記号又は数字が記載され、折り曲げ可能に連結された２枚の矩形の板体２ａ、２ｂと、２枚の板体２ａ、２ｂの裏面側を２枚の板体が所定の開度で開閉可能なように連結する帯状部材３と、連結された２枚の板体２ａ、２ｂを常時開方向に付勢するねじりバネ５を備えたものである。
以下、各部についてさらに詳細に説明する。
【００１０】
＜板体＞
板体２ａ、２ｂはそれぞれ略正方形のビニール加工した板材からなる。板体２ａ、２ｂはその一辺がビニール材によって折り曲げ自在な状態で連結されている。板体２ａ、２ｂの表面は黒色であり、その中央部に大きく白色で数字の「８」が記載されている。
【００１１】
＜帯状部材＞
帯状部材３は薄いビニール材からなり、図２に示されるように、その両端が板体２ａ、２ｂの裏面側に固着されている。帯状部材３は自由に撓むことができ、それ故、犯罪現場撮影用記号札１を図３に示すように２枚の板体２ａ、２ｂの裏面を当接させるように閉じ合わせた状態にすることができる。
【００１２】
＜ねじりバネ＞
ねじりバネ５は図２に示されるように、一回巻きしたコイル部５ａと、その両側に延びる脚直線部５ｂ、５ｃから構成される。そして、ねじりバネ５は各脚直線部５ｂ、５ｃがそれぞれ板体２ａ、２ｂの裏面側に固定されることによって、板体２ａ、２ｂに取り付けられている。ねじりバネ５は板体２ａ、２ｂに取り付けられた状態で、連結された板体２ａ，２ｂを常時開く方向に付勢する。
【００１３】
図４はねじりバネ５の取り付け状態を示す図であり、板体２ａ、２ｂの裏面側を示している。図４に示されるように、ねじりバネ５の脚直線部５ｂ、５ｃは板体２ａ、２ｂの中心線に対して左右に振り分けられて固定されている。このように固定することによって、ねじりバネ５の脚直線部５ｂ、５ｃがコイル部５ａの左右に振り分けられることになり、２枚の板体を閉じたときにコイル部５ａが板体２ａ、２ｂに沿うようになる。この点を板体２ａ、２ｂを閉じている途中の状態を示す図５、図６に基づいて以下に説明する。
【００１４】
図５、図６は犯罪現場撮影用記号札１の裏面側におけるコイル部５ａ近傍を拡大して示す図であり、図５の状態から板体１ａ、１ｂをさらに閉じた状態が図６である。図４に示されるように、ねじりバネ５の脚直線部５ｂ、５ｃが板体２ａ、２ｂの中心線に対して左右に振り分けられて固定されているので、板体１ａ、１ｂを閉じるにしたがってコイル部５ａを板体２ａ、２ｂに沿わせる方向（図５、図６における矢印の方向）の力が作用する。そのため、板体２ａ，２ｂが閉じてゆくにしたがってコイル部５ａが板体２ａ、２ｂに沿うようになっていく。そして、板体２ａ，２ｂが閉じた状態ではコイル部５ａのコイル面が板体２ａ、２ｂと略平行になる。
このように、板体２ａ、２ｂを閉じたときにコイル部５ａが板体２ａ、２ｂに沿うように取り付けられているので、板体２ａ、２ｂを閉じ合わせたときにもコイル部５ａが邪魔にならずに、図３に示されるように、両者がほぼ完全に合わさるように閉じることができる。
【００１５】
上記のように構成された犯罪現場撮影用記号札１においては、図３に示されるように、２枚の板体２ａ，２ｂを閉じ合わせて保管する。通常、この保管には図７に示されるような、ビニールのケース９に複数枚を同時に収納するようにすればよい。
犯罪現場撮影用記号札１を使用する際には、図７に示すように複数枚の犯罪現場撮影用記号札１をケース９に収納して持参し、撮影が行われる床などの上方からケース９を逆さにむけて犯罪現場撮影用記号札１を一気に床に落下させる。ケース９から出た犯罪現場撮影用記号札１はねじりバネ５の付勢力によって所定の開度に開いた状態で床に散らばる。したがって、撮影に際してはそれを所定の場所に立てるだけでよい。
このように、本実施の形態の犯罪現場撮影用記号札１は、現場でケース９から出すだけでよく、従来例のように一個一個開く必要がないので、作業効率に優れる。また、バネ５の付勢力で開状態が維持されるので、風などが吹いても容易に閉じることがなく、安定して立てておくことができる。
【００１６】
なお、上記の実施の形態においては、付勢手段の一例としてねじりバネを例にあげて説明したが、本発明はこれに限られるものではなく、板体１ａ、１ｂを常時開方向に付勢でき、板体１ａ、１ｂを閉じ合わせるようにできるものであれば適用できる。例えば、板バネのようなものでもよい。
【００１７】
上記の実施の形態においては、ねじりバネ５の取り付けに関し、ねじりバネ５の脚直線部５ｂ、５ｃが板体２ａ、２ｂの中心線に対して左右に振り分けられるように固定する例を示した。
しかし、本発明はこれに限られるものではなく、板体２ａ、２ｂの中心からずれた位置に取り付けるようにしてもよい。この場合にも、ねじりバネ５の脚直線部５ｂ、５ｃがコイル部５ａの左右に振り分けられるようにすれば、前述のように板体２ａ，２ｂが閉じてゆくにしたがってコイル部５ａが板体２ａ、２ｂに沿うようになる。
【００１８】
また、上記の実施の形態においては、犯罪現場撮影に用いる犯罪現場撮影用記号札を例に挙げて説明したが、本発明の現場撮影用記号札は犯罪現場の他に事故現場や、その他の現場においても利用されるものを含む。
【図面の簡単な説明】
【００１９】
【図１】本考案の一実施の形態に係る犯罪現場撮影用記号札の使用状態における斜視図である。
【図２】本考案の一実施の形態に係る犯罪現場撮影用記号札を裏面側から見た斜視図である。
【図３】本考案の一実施の形態に係る犯罪現場撮影用記号札の保管時の状態を示す斜視図である。
【図４】本考案の一実施の形態に係る犯罪現場撮影用記号札におけるねじりバネの取り付け状態の説明図である。
【図５】本考案の一実施の形態に係る犯罪現場撮影用記号札の動作説明図である。
【図６】本考案の一実施の形態に係る犯罪現場撮影用記号札の動作説明図である。
【図７】本考案の一実施の形態に係る犯罪現場撮影用記号札の保管時の状態を示す斜視図である。
【符号の説明】
【００２０】
１  犯罪現場撮影用記号札、  ２ａ、２ｂ  板体、３  帯状部材、５  ねじりバネ、５ａ  コイル部、５ｂ、５ｃ  脚直線部。
【図１】
0003121351.tif 000003
【図２】
0003121351.tif 000004
【図３】
0003121351.tif 000005
【図４】
0003121351.tif 000006
【図５】
0003121351.tif 000007
【図６】
0003121351.tif 000008
【図７】
0003121351.tif 000009